(57)【要約】【課題】動画モードで撮影している際に、静止画モードに切り換えて静止画像を撮影する場合でも、自然な感じの動画像を得る。【解決手段】撮像手段と、記録手段と、静止画撮像モードと動画撮像モードとに切り替えるモード切り換え手段と、解像度を変換する解像度変換手段とを備え、撮像した静止画像及び動画像をそれぞれ記録手段中の記録媒体の異なる領域に記録する画像記録装置。動画撮像モード中に静止画撮像モードが選択された場合、モード切り換え手段により静止画像撮影の間のみ静止画撮像モードに切り換えて静止画像を撮影し、撮影された静止画像を、記録手段により記録媒体の静止画像用の領域に記録するとともに、撮影された静止画像の解像度を、解像度変換手段により動画像の解像度に合せて解像度変換し、解像度変換された静止画像を、記録手段により動画像として動画像の該当領域に記録する。【選択図】          図３
2004186866.tif 000002
【特許請求の範囲】
【請求項１】
撮像手段と、記録手段と、静止画撮像モードと動画撮像モードとに切り替えるモード切り換え手段と、撮影された画像の解像度を変換する解像度変換手段と、を備え、撮像した静止画像及び動画像をそれぞれ前記記録手段中の記録媒体の異なる領域に記録する画像記録装置であって、
動画撮像モードでの動画像撮影中に静止画撮像モードが選択された場合、前記モード切り換え手段により静止画像撮影の間のみ静止画撮像モードに切り換えて静止画像を撮影し、
前記撮影された静止画像を、前記記録手段により前記記録媒体の静止画像用の領域に記録するとともに、
前記撮影された静止画像の解像度を、前記解像度変換手段により動画像の解像度に合せて解像度変換し、
前記解像度変換された静止画像を、前記記録手段により動画像として前記動画像の該当領域に記録することを特徴とする画像記録装置。
【請求項２】
更に発光手段を備え、
動画撮像モードでの動画像撮影中に静止画撮像モードが選択された場合、静止画像撮影の間のみ前記発光手段により被写体が照明される請求項１に記載の画像記録装置。
【発明の詳細な説明】
【０００１】
【発明の属する技術分野】
本発明は画像記録装置に係り、特に、静止画撮像モードと動画撮像モードとに切り替えて使用できる画像記録装置に関する。
【０００２】
【従来の技術】
近年、静止画撮像モードと動画撮像モードとに切り替えて使用できるデジタルカメラ、カメラ一体型ＶＴＲ等の画像記録装置が普及しつつある。この種の画像記録装置の使用方法の一例として、たとえば、結婚式の披露宴を動画撮像モードで撮影している際に、シャッターチャンスにめぐり合った場合には静止画撮像モードに瞬間的に切り換えて、格好のポジションの静止画像を撮影する使用方法が挙げられる。
【０００３】
この種の画像記録装置では撮像手段（レンズ系、ＣＣＤ等）を１組しか備えていないのが一般的であり、静止画像を撮影している間の動画像の記録が抜けてしまうという問題点を有している。この問題点の対処方法として、静止画像を動画像の抜けた部分にはめ込むという方法が採用されている例が多い。
【０００４】
ところが、上記したような使用方法では、静止画像を撮影するときにのみ補助光源としてのストロボ等を発光させることが多く、静止画像が動画像より明るく撮影され、これを動画像の抜けた部分にはめ込むと、動画像を再生した場合に見苦しい画像となってしまう。
【０００５】
このような問題点の対処方法として、いくつかの提案がなされている（特許文献１参照）。
【０００６】
【特許文献１】
特開平５−３７８６９号公報
【０００７】
【発明が解決しようとする課題】
しかしながら、上記従来技術（特許文献１）は、静止画像を撮影している際にストロボ発光があった場合、発光があった際に記録されるべき動画のフレームの１つ前のフレームを記録することにより、動画像からストロボ発光により明るくなったフレームを除去するものである。この方法では、ストロボ発光があった際のフレームが１つ前のフレームで代替されるため、動画像の動きが一瞬停止し、不自然になってしまうという欠点が残る。
【０００８】
本発明は、このような事情に鑑みてなされたもので、動画撮像モードで撮影している際に、静止画撮像モードに瞬間的に切り換えて静止画像を撮影する場合であっても、自然な感じの動画像が得られる画像記録装置を提供することを目的としている。
【０００９】
【課題を解決するための手段】
前記目的を達成するために、本発明は、撮像手段と、記録手段と、静止画撮像モードと動画撮像モードとに切り替えるモード切り換え手段と、撮影された画像の解像度を変換する解像度変換手段と、を備え、撮像した静止画像及び動画像をそれぞれ前記記録手段中の記録媒体の異なる領域に記録する画像記録装置であって、
動画撮像モードでの動画像撮影中に静止画撮像モードが選択された場合、前記モード切り換え手段により静止画像撮影の間のみ静止画撮像モードに切り換えて静止画像を撮影し、
前記撮影された静止画像を、前記記録手段により前記記録媒体の静止画像用の領域に記録するとともに、
前記撮影された静止画像の解像度を、前記解像度変換手段により動画像の解像度に合せて解像度変換し、
前記解像度変換された静止画像を、前記記録手段により動画像として前記動画像の該当領域に記録することを特徴とする画像記録装置を提供する。
【００１０】
本発明によれば、動画像撮影中に静止画撮像モードが選択された場合、この撮影された静止画像の解像度を動画像の解像度に合せて解像度変換し、動画像として動画像の該当領域に記録する。したがって、自然な感じの動画像が得られる。
【００１１】
本発明において、更に発光手段を備え、動画撮像モードでの動画像撮影中に静止画撮像モードが選択された場合、静止画像撮影の間のみ前記発光手段により被写体が照明されることが好ましい。
【００１２】
補助光源なしでの動画像撮影中に静止画撮像モードが選択された場合、静止画像の撮影の際にのみストロボ等の補助光源（発光手段）を使用すると、良質の静止画像が得られることが多いが、このような場合に本発明の効果がより一層発揮できるからである。
【００１３】
【発明の実施の形態】
以下添付図面に従って、本発明に係る画像記録装置の好ましい実施の形態について詳説する。図１は、本発明に係る画像記録装置のハードウェア構成例を示すブロック図である。
【００１４】
この画像記録装置の例は、撮影した静止画像や動画像をメモリカード１９に記録するデジタルカメラであり、カメラ全体の動作は、中央処理装置（ＣＰＵ）２０によって統括制御される。
【００１５】
デジタルカメラには、二段ストローク・  タイプのシャッタボタン２２の第１段階の押下によりＳ１オン信号が発生し、シャッタボタン２２の第２段階の押下によりＳ２オン信号が発生する。  発生したＳ１オン信号およびＳ２オン信号は、ＣＰＵ２０に入力する。
【００１６】
また、デジタルカメラには、撮影モードと再生モードとを切り換えるためのモード・  スイッチ２１が設けられている。  撮影モードが設定されるときには、モード・  スイッチ２１のａ端子が接続され、再生モードが設定されるときには、モード・  スイッチ２１のｂ端子が接続される。  接続状況を示す信号は、ＣＰＵ２０に入力する。
【００１７】
デジタルカメラはストロボ発光可能なようにストロボ発光装置（発光手段）２４が設けられている。  このストロボ発光装置２４はストロボ制御装置２３により発光制御される。
【００１８】
被写体を示す画像光は、フォーカスレンズを含むレンズ光学系１及び虹彩絞り２を介して固体撮像素子（ＣＣＤ）３の受光面に結像される。レンズ光学系１は、ＣＰＵ２０によって制御されるモータ・ドライバ１１によって駆動され、フォーカス制御等が行われる。虹彩絞り２は、５枚の絞り羽根からなり、ＣＰＵ２０によって制御されるモータ・ドライバ１２によって駆動され、使用絞りがＦ２．８  〜Ｆ１１まで１／３・ＡＶ  刻みで１３段階に絞り制御される。
【００１９】
また、ＣＰＵ２０は、モータ・  ドライバ１２を介して虹彩絞り２を制御するとともに、タイミング・ジェネレータ１３を介してＣＣＤ３での電荷蓄積時間（シャッタスピード）を制御する。
【００２０】
ＣＣＤ３に蓄積された信号電荷は、タイミング・ジェネレータ１３から加えられる転送パルスによって信号電荷に応じた電圧信号として順次読み出される。ＣＣＤ３から順次読み出された電圧信号は、相関二重サンプリング回路（ＣＤＳ回路）／増幅器４に加えられ、ここで各画素ごとのＲ、Ｇ、Ｂ信号がサンプリングホールドされ、増幅されたのちＡ／Ｄ変換器５に加えられる。Ａ／Ｄ変換器５は、順次入力するＲ、Ｇ、Ｂ信号をデジタルのＲ、Ｇ、Ｂ信号に変換して画像入力コントローラ６に出力する。
【００２１】
信号処理回路７は、画像入力コントローラ６を介して入力するデジタルの画像信号に対して、オフセット処理、ホワイトバランス補正及び感度補正を含むゲイン・  コントロール処理、ガンマ補正処理等の所定の信号処理を行う。
【００２２】
信号処理回路７で処理された画像データは、ＶＲＡＭ１７に入力する。ＶＲＡＭ１７には、それぞれが１駒分の画像を表す画像データを記憶するＡ領域とＢ領域とが含まれている（物理的に領域が分割されている必要はなく、論理的に領域を分けることができればよい）  。ＶＲＡＭ１７において１駒分の画像を表す画像データがＡ領域とＢ領域とで交互に書き換えられる。ＶＲＡＭ１７のＡ領域及びＢ領域のうち、画像データが書き換えられている方の領域以外の領域から、書き込まれている画像データが読み出される。ＶＲＡＭから読み出された画像データはビデオ・エンコーダ９においてエンコーディングされ、カメラ背面に設けられている液晶モニタなどの画像表示装置１０に出力され、これにより被写体像が画像表示装置１０の表示画面上に表示される。
【００２３】
シャッタボタン２２の第１段階の押下があると、ＡＥ動作及びＡＦ動作が開始する。  すなわち、Ａ／Ｄ変換器５から出力される画像データがＡＦ検出回路１４並びにＡＥ／ＡＷＢ検出回路１５に入力し、ＡＦ検出回路１４では、画像のコントラスト情報をＣＰＵ２０に出力する。ＡＥ／ＡＷＢ検出回路１５では、撮像領域を水平方向８、垂直方向８に分割して得られる各分割領域ごとにＲ、Ｇ、Ｂの画像データをＲ、Ｇ、Ｂごとに積算し、各領域ごとの、かつＲ、Ｇ、Ｂごとの各積算データをＣＰＵ２０に出力する。
【００２４】
ＣＰＵ２０は、ＡＦ検出回路１４から入力するコントラスト情報に基づいてモータ・ドライバ１１を介してレンズ光学系１を制御するとともに、ＡＥ／ＡＷＢ検出回路１５から入力する積算データより被写体の明るさ（撮影Ｅｖ値）を算出し、この撮影Ｅｖ値に基づいて虹彩絞り２の絞り値及びＣＣＤ３の電子シャッタ（シャッタスピード）を決定し、決定した絞り値に基づいてモータ・  ドライバ１２を介して虹彩絞り２を制御するとともに、決定したシャッタスピードに基づいてタイミング・ジェネレータ１３を介してＣＣＤ３での電荷蓄積時間を制御する。
【００２５】
ＡＥ動作及びＡＦ動作が終了し、シャッタボタン２２の第２段階の押下があると、その押下に応答してＡ／Ｄ変換器５から出力される１駒分の画像データが画像入力コントローラ６からメモリ（ＳＤＲＡＭ）  １６に入力し、一時的に記憶される。
【００２６】
画像データは、メモリ１６から読み出され、信号処理回路７において輝度データ及び色差データの生成処理（ＹＣ処理）を含む所定の信号処理が行われる。ＹＣ処理された画像データ（ＹＣデータ）は、信号処理回路７から読み出され、再びメモリ１６に記憶される。続いて、ＹＣデータは圧縮伸長処理回路８に出力され、ＪＰＥＧ  （ｊｏｉｎｔ  ｐｈｏｔｇｒａｐｈｉｃ  ｅｘｐｅｒｔｓ  ｇｒｏｕｐ）などの所定の圧縮処理が実行される。  圧縮されたＹＣデータは、再びメモリ１６に出力されて記憶されたのち、メディア・コントローラ１８によって読み出され、メモリカード１９に記録される。
【００２７】
モード・スイッチ２１により再生モードが設定されると、メモリカード１９に記録されている圧縮されたＹＣデータが読み出され、メモリ１６に一時的に記憶される。この圧縮されたＹＣデータは、メモリ１６から読み出され、圧縮伸長回路８においてデータ伸長される。伸長されたＹＣデータは、メモリ１６に出力され再び記憶されたのち、メモリ１６から読み出され、ビデオ・エンコーダ９を介して画像表示装置１０に入力する。  これにより、メモリカード１９に記録されている画像データによって表される画像が画像表示装置１０の表示画面上に表示されるようになる。
【００２８】
以上で説明したのは、静止画像撮影の流れに対応したハードウェア構成であるが、動画像撮影においてもこれに準じるハードウェア構成が使用されることより、詳細の説明は省略する。なお、静止画撮像モードと動画撮像モードとに切り替えるためのモード切り替えスイッチ２５が設けられている。  静止画撮影モードが設定されるときには、モード切り替えスイッチ２５のａ端子が接続され、動画撮像モードが設定されるときには、モード切り替えスイッチ２５のｂ端子が接続される。  接続状況を示す信号は、ＣＰＵ２０に入力する。
【００２９】
以上のハードウェア構成のうち、撮影された画像の解像度を変換する解像度変換手段の役割は、主に信号処理回路７とＣＰＵ２０が分担する。
【００３０】
次に、本発明に係る画像記録装置において、動画撮像モードでの動画像撮影中に静止画撮像モードが選択された場合のフローの概略について説明する。図２（ａ）は、この動作の流れを説明するフロー図である。
【００３１】
動画撮像モードが選択され、動画の撮影が開始（ステップＳ１）され、動画の撮影が行われる（ステップＳ２）。この間で、操作者により静止画撮像の要求（操作）があった場合（ステップＳ３）、必要に応じて補助光源（ストロボ発光装置２４）を発光させ（ステップＳ４）、略同時に静止画撮像モードに切り換え静止画像を撮影（記録）する（ステップＳ５）。
【００３２】
次いで、記録した静止画像をメモリカード（記録媒体）１９の静止画像用の領域に記録するとともに、この静止画像の解像度を動画像記録用に解像度変換し、動画像の１フレームとしてメモリカード（記録媒体）１９の動画像用の領域に記録する（ステップＳ６）。なお、このステップＳ６の詳細については、後で詳述する。
【００３３】
そして、以下、ステップＳ２に戻り動画の撮影が継続され、この撮影中に再度操作者により静止画撮像の要求があった場合には、同様の手順で撮影（記録）がなされる。静止画撮像の要求がなかった場合には、撮影終了の操作があるまで動画の撮影が継続される（ステップＳ２）。
【００３４】
以上が本発明に係る画像記録装置において、動画撮像モード中に静止画像を撮影するフローであるが、従来技術もこれと比較して説明する。図２（ｃ）は、従来の一般的なデジタルカメラによる、動画撮像中に静止画像を撮影するフローであり、図２（ｂ）は、従来技術（特許文献１）の記録装置による、動画撮像中に静止画像を撮影するフローである。
【００３５】
これらのフローのうち、動画の撮影開始（ステップＳ１１、Ｓ２１）から静止画像の記録（ステップＳ１５、Ｓ２５）までは、図２（ａ）の本発明のフローと同一なので、説明は省略する。
【００３６】
図２（ｃ）の従来の一般的なデジタルカメラの場合には、補助光源（ストロボ発光装置等）が発光した場合、記録する動画像中に大幅に露出オーバーなフレームを生じてしまい、不自然な動画像となってしまう。
【００３７】
図２（ｂ）の従来技術（特許文献１）の場合には、既述したように、補助光源（ストロボ発光装置等）が発光した際の動画フレームをスキップして動画像の記録がなされる（ステップＳ１６）。この場合には、記録された動画像の動きが一瞬不自然になるといった不具合を生じる。
【００３８】
これに対し、本発明に係る画像記録装置によれば、静止画記録画像は適正露出に調光されているため、動画像撮影中に撮影されても、不自然な動画像とはならない。
【００３９】
次に、解像度変換に関するステップＳ６の詳細について説明する。図３は、この解像度変換の流れを示すフロー図である。この例では、静止画像の記録データは、１６００×１２００ピクセルとなっている。
【００４０】
先ず、この静止画像の記録データに対し、信号処理回路７により縮小処理を行う（ステップＳ６１）。次いで、縮小処理されたデータに対し、圧縮伸長処理回路８によりデータ圧縮処理を行う（ステップＳ６２）。そして、圧縮処理されたデータをメディア・コントローラ１８を経由して記録メディア（メモリカード１９）に動画像記録データとして記録する（ステップＳ６３）。処理が終了すると、通常の動画処理（図２（ａ）のステップＳ２）へ復帰する（ステップＳ９９９）。
【００４１】
以上、本発明に係る画像記録装置の実施形態の例について説明したが、本発明は上記実施形態の例に限定されるものではなく、各種の態様が採り得る。
【００４２】
たとえば、本実施形態の例では、画像記録装置としてデジタルカメラが使用されているが、これ以外の装置、たとえば、カメラ一体型ＶＴＲ等の装置も採用できる。
【００４３】
また、画像記録装置のハードウェア構成において、記録媒体として、メモリ（ＳＤＲＡＭ）  １６、ＶＲＡＭ１７及びメモリカード１９の組み合わせが採用されているが、ハードディスク装置、磁気テープ等の記録媒体を採用したり、各種の構成例が採用できる。
【００４４】
【発明の効果】
以上説明したように、本発明によれば、動画像撮影中に静止画撮像モードが選択された場合、この撮影された静止画像の解像度を動画像の解像度に合せて解像度変換し、動画像として動画像の該当領域に記録する。したがって、自然な感じの動画像が得られる。
【図面の簡単な説明】
【図１】本発明に係る画像記録装置のハードウェア構成例を示すブロック図
【図２】動画撮像モード中に静止画像を撮影する際の流れを示すフロー図
【図３】解像度変換の流れを示すフロー図
【符号の説明】
１…レンズ光学系、２…虹彩絞り、３…固体撮像素子（ＣＣＤ）、７…信号処理回路、１０…画像表示装置、１５…ＡＥ／ＡＷＢ検出回路、２０…中央処理装置（ＣＰＵ）、２２…シャッタボタン、２３…ストロボ制御装置、２４…ストロボ発光装置（発光手段）、２５…モード切り替えスイッチ
【図１】
2004186866.tif 000003
【図２】
2004186866.tif 000004
【図３】
2004186866.tif 000005